(57)【要約】【課題】マッサージ効果が高いマッサージローラーを提供する。【解決手段】マッサージローラーは、複数の六角柱１１ａ〜１１ｆが上面と下面とで隣接するように並べられた六角柱群を有する第１ローラー部１０を備える。第１ローラー部１０を回転自在な状態で保持する接続部３０を備える。六角柱群は、上面方向から見て、複数の六角柱の上面を構成する六角形の頂点それぞれが見えるように、複数の六角柱が並べられ、複数の六角柱の壁面の少なくとも１以上には、ブラックシリカの粒１５が突出するように設けられる。【選択図】図１
0003165385.tif 000002
【実用新案登録請求の範囲】
【請求項１】
複数の六角柱が上面と下面とで隣接するように並べられた六角柱群を有する第１ローラー部と、
前記第１ローラー部を回転自在な状態で保持する接続部とを備え、
前記六角柱群は、上面方向から見て、前記複数の六角柱の上面を構成する六角形の頂点それぞれが見えるように、前記複数の六角柱が並べられ、
前記複数の六角柱の壁面の少なくとも１以上には、ブラックシリカの粒が突出するように設けられることを特徴とするマッサージローラー。
【請求項２】
前記ブラックシリカの粒は、隣接する六角柱のいずれか一方であって、且つ六角柱を構成する壁面における、隣接する壁面のいずれか一方に配置されることを特徴とする請求項１に記載のマッサージローラー。
【請求項３】
円柱部を有し、前記接続部が回転自在な状態で保持する第２ローラー部を更に備え、
前記円柱部は、表面に、断面がＶ字の溝が設けられ、側面から見て前記溝が長手方向の正弦波形を示し、
前記第１ローラー部を使用する際には、前記第２ローラー部が把持部として用いられ、
前記第２ローラー部を使用する際には、前記第１ローラー部が把持部として用いられることを特徴とする請求項１に記載のマッサージローラー。
【請求項４】
前記接続部は、前記第１ローラー部と前記第２ローラー部との距離が変更可能な状態で、前記第１ローラー部と前記第２ローラー部とを保持することを特徴とする請求項３に記載のマッサージローラー。
【請求項５】
前記複数の六角柱の壁面には、プラチナ、金、チタンのいずれかを使ったメッキ処理が施されることを特徴とする請求項１に記載のマッサージローラー。
【請求項６】
複数の多角柱が上面と下面とで隣接するように並べられた多角柱群を有する第１ローラー部と、
前記第１ローラー部を回転自在な状態で保持する接続部とを備え、
前記多角柱群は、上面方向から見て、前記複数の多角柱の上面を構成する多角形の頂点それぞれが見えるように、前記複数の多角柱が並べられ、
前記複数の多角柱の壁面の少なくとも１以上には、ブラックシリカの粒が突出するように設けられることを特徴とするマッサージローラー。
【考案の詳細な説明】
【技術分野】
【０００１】
本考案は、ローラー部を顔などのマッサージ対象領域に当てた状態で回転させるマッサージローラーに関する。
【背景技術】
【０００２】
従来、特許文献１のように、六つの壁面に半導体の粒が突出するように設けられたマッサージローラーが提案されている。
【先行技術文献】
【特許文献】
【０００３】
【特許文献１】特開２００８−１１８１８１号公報
【考案の概要】
【考案が解決しようとする課題】
【０００４】
しかし、半導体の粒は接触する部分にだけマイナスイオンが放出されるため、マッサージ対象領域における半導体の粒と接触する領域以外はマッサージ効果が高くない。また、ローラー部が略六角柱の単調な形状であり、突起物が少ない点でも、マッサージ効果が高くない。
【０００５】
したがって本考案の目的は、マッサージ効果が高いマッサージローラーを提供することである。
【課題を解決するための手段】
【０００６】
本考案に係るマッサージローラーは、複数の六角柱が上面と下面とで隣接するように並べられた六角柱群を有する第１ローラー部と、第１ローラー部を回転自在な状態で保持する接続部とを備え、六角柱群は、上面方向から見て、複数の六角柱の上面を構成する六角形の頂点それぞれが見えるように、複数の六角柱が並べられ、複数の六角柱の壁面の少なくとも１以上には、ブラックシリカの粒が突出するように設けられる。
【０００７】
六角柱を構成する矩形形状の壁面と、該六角柱に隣接する六角柱を構成する壁面とが０度より大きい一定の角度をなす位置関係になり、六角柱群を構成する複数六角柱は、上面や下面を構成する六角形の頂点が少しずつずれた状態で並べられることになる。
【０００８】
第１ローラー部の回転により、六角柱の壁面に設けられたブラックシリカの粒のいずれかがマッサージ対象領域に接触する。
【０００９】
ブラックシリカの粒が設けられた壁面同士は、一定の角度を持った位置関係にあり、ブラックシリカの粒が並べられる線は、第１ローラー部の回転軸と平行でない。このため、回転軸に平行な等間隔にブラックシリカの粒が並べられた形態に比べて、マッサージ対象領域における広い領域にブラックシリカの粒を接触させることが可能になり、ブラックシリカが有している抗菌作用や、ブラックシリカが発するマイナスイオンや遠赤外線をマッサージ対象領域の広い領域に及ぼさせることが可能になる。
【００１０】
ブラックシリカが発するマイナスイオンや遠赤外線は、接触部位だけでなく、その周辺の非接触領域にも及ぼすことが出来るため、ゲルマニウム半導体などを用いる形態に比べて、マイナスイオンや遠赤外線による高いマッサージ効果を得ることが出来る。
【００１１】
また、六角柱群を構成する複数の六角柱が、それぞれの上面や下面を構成する頂点が重なり合わないような関係で配置されるため、上面の頂点と下面の頂点とを結ぶ線やそれぞれの頂点が突起物としてマッサージ対象領域に刺激を与えることも可能になり、かかる突起物が少ない形態に比べて、高いマッサージ効果を得ることが可能になる。
【００１２】
好ましくは、ブラックシリカの粒は、隣接する六角柱のいずれか一方であって、且つ六角柱を構成する壁面における、隣接する壁面のいずれか一方に配置される。
【００１３】
また、好ましくは、円柱部を有し、接続部が回転自在な状態で保持する第２ローラー部を更に備え、円柱部は、表面に、断面がＶ字の溝が設けられ、側面から見て、かかる溝が長手方向の正弦波形を示し、第１ローラー部を使用する際には、第２ローラー部が把持部として用いられ、第２ローラー部を使用する際には、第１ローラー部が把持部として用いられる。
【００１４】
第２ローラー部の回転により、円柱部における波状の凹凸がマッサージ対象領域を刺激し、第１ローラー部をマッサージ対象領域に当てた場合とは異なるマッサージ効果を得ることが可能になる。
【００１５】
さらに好ましくは、接続部は、第１ローラー部と第２ローラー部との距離が変更可能な状態で、第１ローラー部と第２ローラー部とを保持する。
【００１６】
一方のローラー部が使用される時に、他方のローラー部は把持部として用いられるため、把持部とマッサージに使用するローラー部との長さを調整することが可能になるし、第１ローラー部と第２ローラー部を近づけ、接続部が外から見えにくくなるように、美容マッサージローラー１の全長（長手方向の長さ）を短くすることも可能になる。
【００１７】
複数の六角柱の壁面には、プラチナ、金、チタンのいずれかを使ったメッキ処理が施される。
【００１８】
プラチナ、金、チタンのいずれかを使ったメッキ処理を施すと、汗などで表面素材が溶けにくく、第１ローラー部を肌に当てても金属アレルギー（アレルギー性接触皮膚炎）を起こしにくいメリットがある。
【００１９】
本考案に係るマッサージローラーは、複数の多角柱が上面と下面とで隣接するように並べられた多角柱群を有する第１ローラー部と、第１ローラー部を回転自在な状態で保持する接続部とを備え、多角柱群は、上面方向から見て、複数の多角柱の上面を構成する多角形の頂点それぞれが見えるように、複数の多角柱が並べられ、複数の多角柱の壁面の少なくとも１以上には、ブラックシリカの粒が突出するように設けられる。
【考案の効果】
【００２０】
以上のように本考案によれば、マッサージ効果が高いマッサージローラーを提供することができる。
【図面の簡単な説明】
【００２１】
【図１】本実施形態におけるマッサージローラーで、第１ローラー部と第２ローラー部とが離れた状態を示す側面図である。
【図２】第１ローラー部と第２ローラー部とが近づいた状態を示す側面図である。
【考案を実施するための形態】
【００２２】
以下、本実施形態について、図を用いて説明する。本実施形態における美容マッサージローラーは、第１ローラー部１０、第２ローラー部２０、及び第１ローラー部１０と第２ローラー部２０との間に設けられた接続部３０とを備える（図１参照）。
【００２３】
接続部３０は、第１ローラー部１０と接続部３０と第２ローラー部２０とが並べられた長手方向の回転軸Ｌ１を中心に不図示のベアリングやスプリングを介して回転自在な状態で、且つ第１ローラー部１０と第２ローラー部２０との距離が変更可能な状態で、第１ローラー部１０や第２ローラー部２０を保持する。
【００２４】
一方のローラー部（例えば、第１ローラー部１０）が使用される時に、他方のローラー部（例えば、第２ローラー部２０）は把持部として用いられるため、把持部とマッサージに使用するローラー部との長さを調整することが可能になるし、第１ローラー部１０と第２ローラー部２０を近づけ、接続部３０が外から見えにくくなるように、美容マッサージローラー１の全長（長手方向の長さ）を短くすることも可能になる（第２伸縮状態、図２参照）し、さらに第１ローラー部１０と第２ローラー部２０とがほぼ接触した状態にまで近づけて最小化することも可能である。
【００２５】
第１ローラー部１０は、接続部３０に近い側から、六角柱群（第１〜第６六角柱１１ａ〜１１ｆ）、及び丸みを帯びた球形状の第１先端部１２が長手方向に並べられた形状を有する。六角柱群を構成する第１〜第６六角柱１１ａ〜１１ｆは、上面か下面が隣接し、且つ上面や下面の中心が回転軸Ｌ１を通る位置関係で並べられる。なお、本実施形態における六角柱は、略正六角形の上面と下面を有する六角柱である。また、六角柱群や第１先端部１２は、一体的に成形されたものでもよいし、各部を組み合わせるなど他の方法で成形する形態であってもよい。
【００２６】
具体的には、第１六角柱１１ａの下面（図１における上方で、第２ローラー部２０に近い側）は、接続部３０と隣接する。第１六角柱１１ａの上面（図１における下方で、第２ローラー部２０から遠い側）は、第２六角柱１１ｂの下面と隣接する。第２六角柱１１ｂの上面は、第３六角柱１１ｃの下面と隣接する。第３六角柱１１ｃの上面は、第４六角柱１１ｄの下面と隣接する。第４六角柱１１ｄの上面は、第５六角柱１１ｅの下面と隣接する。第５六角柱１１ｅの上面は、第６六角柱１１ｆの下面と隣接する。第６六角柱１１ｆの上面は、第１先端部１２と隣接する。
【００２７】
また、六角柱を構成する矩形形状の壁面と、該六角柱に隣接する六角柱を構成する矩形形状の壁面とが０度より大きい一定の角度をなす位置関係になり、先端部１２がある側から第１ローラー部１０を見た場合に、第１〜第６六角柱１１ａ〜１１ｆの上面を構成する六角形の頂点それぞれが見えるように、第１〜第６六角柱１１ａ〜１１ｆが並べられる。
【００２８】
このため、六角柱群を構成する第１〜第６六角柱１１ａ〜１１ｆは、上面や下面を構成する正六角形の頂点が少しずつずれた状態で並べられることになる。
【００２９】
また、第１ローラー部１０を構成する六角柱の壁面のいくつかには、長手方向や壁面の外周方向に等間隔で並べられるようにブラックシリカ（黒鉛珪石）の粒１５が各壁面から突出するように設けられる。
【００３０】
例えば、ブラックシリカの粒１５は、隣接する六角柱のいずれか一方であって、六角柱を構成する壁面における、隣接する壁面のいずれか一方に配置される。具体的には、隣接しない３つの六角柱（本実施形態では、第２六角柱１１ｂ、第４六角柱１１ｄ、第６六角柱１１ｆ）の壁面であって互いに隣接しない３つの壁面、すなわち９つの壁面に、ブラックシリカの粒１５が壁面から突出するように設けられ、他の壁面にはブラックシリカの粒１５は設けられない。
【００３１】
第２ローラー部２０は、接続部３０に近い側から、円柱部２１、及び丸みを帯びた球形状の第２先端部２２が長手方向に並べられた形状を有する。なお、円柱部２１や第２先端部２２は、一体的に成形されたものでもよいし、各部を組み合わせるなど他の方法で成形する形態であってもよい。
【００３２】
円柱部２１は、表面に、断面がＶ字の浅い溝が設けられ、側面から見て、かかる溝が長手方向に延びる正弦波形（振幅方向は長手方向と垂直な方向になる）を示し、ダイヤカットの表面処理が施されている。
【００３３】
第１ローラー部１０のブラックシリカの粒１５以外の部分や、第２ローラー部２０は、真鍮にプラチナコーティング仕上げされた素材で構成される。
【００３４】
なお、かかる部分の素材としては、真鍮にプラチナコーティング仕上げしたものだけでなく、金属にプラチナ（微量含有物が０．０３％以下の純プラチナが望ましい）メッキ、純金メッキ、チタンイオンプレーティングなどメッキ処理を施したものであってもよい。これらの表面部分、すなわち、第１ローラー部１０を構成する第１〜第６六角柱１１ａ〜１１ｆの壁面や第１先端部１２の表面、第２ローラー部２０を構成する円柱部２１や第２先端部２２の表面に、プラチナ、金、チタンのいずれかを使ったメッキ処理を施すと、汗などで表面素材が溶けにくく、第１ローラー部１０や第２ローラー部２０を肌に当てても金属アレルギー（アレルギー性接触皮膚炎）を起こしにくいメリットがある。
【００３５】
次に、美容マッサージローラー１の使用方法について説明する。まず、第１ローラー部１０と第２ローラー部２０とを持ち、これらの間隔が離れた状態（第１伸縮状態、図１参照）にする。かかる間隔は、使用者の好みに合わせて調整する形態であってもよい。
【００３６】
第２ローラー部２０を把持し、第１ローラー部１０の第１〜第６六角柱１１ａ〜１１ｆを顔などのマッサージ対象領域に当てて、第１ローラー部１０を回転させる。このとき、接続部３０は、第２ローラー部２０との間の摩擦により殆ど回転せず、第１ローラー１０が回転する。
【００３７】
第１ローラー部１０の回転により、第２六角柱１１ｂ、第４六角柱１１ｄ、第６六角柱１１ｆの壁面に設けられたブラックシリカの粒１５のいずれかがマッサージ対象領域に接触する。
【００３８】
ブラックシリカの粒１５が設けられた壁面同士は、一定の角度を持った位置関係にあり、ブラックシリカの粒１５が並べられる線Ｌ２は、回転軸Ｌ１と平行にならない。このため、回転軸Ｌ１に平行な等間隔にブラックシリカの粒１５が並べられた形態に比べて、マッサージ対象領域における広い領域にブラックシリカの粒１５を接触させることが可能になり、ブラックシリカが有している抗菌作用や、ブラックシリカが発するマイナスイオンや遠赤外線をマッサージ対象領域の広い領域に及ぼさせることが可能になる。
【００３９】
特に、ブラックシリカが発するマイナスイオンや遠赤外線は、接触部位だけでなく、その周辺の非接触領域にも及ぼすことが出来るため、ゲルマニウム半導体などを用いる形態に比べて、マイナスイオンや遠赤外線による高いマッサージ効果を得ることが出来る。
【００４０】
また、６つの六角柱が、それぞれの上面や下面を構成する頂点が重なり合わないような関係で配置されるため、上面の頂点と下面の頂点とを結ぶ線やそれぞれの頂点が突起物としてマッサージ対象領域に刺激を与えることも可能になり、かかる突起物が少ない形態に比べて、高いマッサージ効果を得ることが可能になる。
【００４１】
次に、第１ローラー部１０を把持し、第２ローラー部２０の円柱部２１をマッサージ対象領域に当てて、第２ローラー部分を回転させる。このとき、接続部３０は、第１ローラー部１０との間の摩擦により殆ど回転せず、第２ローラー２０が回転する。第２ローラー部２０の回転により、円柱部２１におけるダイヤカット加工が施された波状の凹凸がマッサージ対象領域を刺激し、第１ローラー部１０をマッサージ対象領域に当てた場合とは異なるマッサージ効果を得ることが可能になる。
【００４２】
また、第２ローラー部２０を把持し、第１ローラー部１０の第１先端部１２を顎などのマッサージ対象領域にあてて、ツボ押しする形態も考えられる。この場合は、第１ローラー部１０と第２ローラー部２０とがほぼ接触した状態にして使用するのが望ましい。第１先端部１２には、ブラックシリカの粒１５が設けられていないが、第１先端部１２の近くの第６六角柱１１ｆなどにはブラックシリカの粒１５が設けられている。マッサージ対象領域と接触していなくても、また、マッサージ対象領域の温度状態にかかわらず、ブラックシリカの粒１５はマイナスイオンや遠赤外線を発するため、第１先端部１２を使ったツボ押し時にも、マイナスイオンや遠赤外線によるマッサージ効果を得ることが可能になる。
【００４３】
なお、本実施形態では、第１ローラー部１０を構成する多角柱が六角柱であるとして説明したが、八角柱など別の多角柱であってもよい。
【００４４】
また、第１ローラー部１０と第２ローラー部２０との間の長さについて、図１のように長く伸ばした第１伸縮状態と、図２のように短く伸ばした第２伸縮状態と、両者がほぼ接触した状態（収納状態、不図示）との３段階にし、第２伸縮状態から第１伸縮状態や収納状態にする時に、通常よりも強い力で引っ張るか押し込む必要がある機構（例えば、ロック機構）を設ければ、第１伸縮状態から収納状態にするまでに、第２伸縮状態で一度引っかかるため、第１伸縮状態から収納状態にする際に、第１ローラー部１０と第２ローラー部２０との間に指などを挟む可能性を低くすることが出来る。
【符号の説明】
【００４５】
１  美容マッサージローラー
１０  第１ローラー部
１１ａ〜１１ｆ  第１〜第６六角柱
１２  第１先端部
１５  ブラックシリカの粒
２０  第２ローラー部
２１  円柱部
２２  第２先端部
３０  接続部
Ｌ１  回転軸
Ｌ２  ブラックシリカの粒が並べられる線
【図１】
0003165385.tif 000003
【図２】
0003165385.tif 000004